(57)【要約】【課題】通常時は作業者の通行を規制し、必要な時には、規制を解除して移動することができるフェンスを提供する。【解決手段】パネル材１０と、上下の横枠３０と左右の縦枠４０を結合して、その内側にパネル材１０を保持する枠体２０と、パネル材１０の上下左右の端部に設けられて、対向する横枠３０及び縦枠４０と結合する結合部材５０、６０とを備えるフェンス１００であって、縦枠４０は、パネル材１０の前後方向の少なくとも一方に向けて開口して長手方向に沿って連続して形成された凹部４１と、凹部４１内を長手方向に移動可能となされ、結合部材６０に着脱可能に接続される摺動部材７０とを備え、パネル材１０は、上下の端部の結合部材５０が結合する上下の横枠３０の少なくとも一方の結合状態を解除することによって、上下方向に折り畳み可能となされるように構成する。【選択図】        図１
2020153214.tif 000002
【特許請求の範囲】
【請求項１】
パネル材と、
上下の横枠と左右の縦枠を結合して構成され、その内側に前記パネル材を保持する枠体と、
前記パネル材の上下左右の端部に設けられて、横枠及び縦枠と結合する結合部材とを備えるフェンスであって、
前記縦枠は、前記パネル材の前後方向の少なくとも一方に向けて開口して長手方向に沿って連続して形成された凹部と、
前記凹部内を長手方向に移動可能となされ、前記パネル材の左右端部の結合部材に着脱可能に接続される摺動部材とを備え、
前記パネル材は、前記パネル材の上下端部の結合部材が結合する上下の横枠の少なくとも一方の結合状態を解除することによって、上下方向に折り畳み可能となされている
ことを特徴とするフェンス。
【請求項２】
前記摺動部材は前記凹部内に摺動可能に係止され、
前記結合部材と前記摺動部材とは、それぞれ前記凹部の開口を内外方向に通過可能で該摺動部材に螺着される雄ねじ部と、前記雄ねじ部より大径の頭部を有する接続部材によって接続され、
前記結合部材は、前記雄ねじ部及び頭部が通過可能な幅広部と、雄ねじ部のみが通過可能となされた幅狭部とを有する貫通孔を備えており、
前記接続部材は、前記頭部と前記縦枠との間に前記結合部材を挟持した挟持状態と、前記挟持状態を解除した解除状態とを選択可能に前記摺動部材に螺着可能となされた
ことを特徴とする請求項１に記載のフェンス。
【請求項３】
パネル材と、
上下の横枠と左右の縦枠を結合して構成され、その内側に前記パネル材を保持する枠体と、
前記パネル材の左右の端部に設けられて、縦枠と結合する結合部材とを備えるフェンスであって、
前記縦枠は、前記パネル材の前後方向の少なくとも一方に向けて開口して長手方向に沿って連続して形成された凹部と、
前記凹部内を長手方向に移動可能となされ、前記結合部材に着脱可能に接続される摺動部材とを備え、
前記摺動部材は、前記凹部内に摺動可能に係止され、
前記結合部材と摺動部材とは、前記凹部の開口を内外方向に通過可能で摺動部材に螺着される雄ねじ部と、前記雄ねじ部より大径の頭部を有する接続部材によって接続され、
前記結合部材は、前記雄ねじ部及び頭部が通過可能な幅広部と、雄ねじ部のみが通過可能となされた幅狭部とを有する貫通孔を備えており、
前記接続部材は、前記頭部と前記縦枠との間に前記結合部材を挟持した挟持状態と、前記挟持状態を解除した解除状態とを選択可能に前記摺動部材に螺着可能となされた
ことを特徴とするフェンス。
【請求項４】
少なくとも一方の前記横枠は、該横枠の両端部に設けられて、前記縦枠と接続する枠用結合部材を備え、
前記縦枠は、前記凹部が形成された反対側に別の凹部が形成され、前記別の凹部内を長手方向に移動可能となされた摺動部材を備えており、前記枠用結合部材と前記摺動部材とが接続部材を介して締結されることにより前記横枠が前記縦枠に固定され、前記締結状態を緩めることによって、前記横枠が上下方向に移動可能となされていることを特徴とする請求項１〜３に記載のフェンス。
【発明の詳細な説明】
【技術分野】
【０００１】
本発明は、工場内の設備周り等に設置されて作業者等の通行を規制するフェンスに関する。
【背景技術】
【０００２】
従来、工場等の施設内には各種産業機械等の設備が多数配置されており、施設内の作業者の安全性を確保するために、設備周辺の危険領域を囲むようにパネルを並べて危険領域への作業者の立入りを制限するフェンスが設けられている。例えば、特許文献１には、工作機械の周囲を囲うように複数のパネルを並べて構成されるフェンスが開示されている。
【先行技術文献】
【特許文献】
【０００３】
【特許文献１】特開２００３−２５１７９号公報
【発明の概要】
【発明が解決しようとする課題】
【０００４】
ところで、特許文献１に開示されている従来のフェンスでは、作業者は、設備側に移動する必要がある場合は、フェンスに設置されている出入口から入って行く必要がある。そのため、設備の形態や状況によって、通路のその場から設備側に直接移動する必要がある場合には、特許文献１のフェンスでは対応できなかった。
【０００５】
そこで、本発明は、かかる問題点に鑑み、通常時は作業者の通行を規制し、必要な時には、規制を解除して移動することができるフェンスを提供することを目的とする。
【課題を解決するための手段】
【０００６】
上記目的を達成するために、本発明は次のような構成としている。すなわち本発明に係るフェンスは、パネル材と、上下の横枠と左右の縦枠を結合して構成され、その内側に前記パネル材を保持する枠体と、前記パネル材の上下左右の端部に設けられて、横枠及び縦枠と結合する結合部材とを備えるフェンスであって、前記縦枠は、前記パネル材の前後方向の少なくとも一方に向けて開口して長手方向に沿って連続して形成された凹部と、前記凹部内を長手方向に移動可能となされ、前記パネル材の左右端部の結合部材に着脱可能に接続される摺動部材とを備え、前記パネル材は、前記パネル材の上下端部の結合部材が結合する上下の横枠の少なくとも一方の結合状態を解除することによって、上下方向に折り畳み可能となされていることを特徴とするものである。
【０００７】
また、本発明に係るフェンスは、パネル材と、上下の横枠と左右の縦枠を結合して構成され、その内側に前記パネル材を保持する枠体と、前記パネル材の左右の端部に設けられて、縦枠と結合する結合部材とを備えるフェンスであって、前記縦枠は、前記パネル材の前後方向の少なくとも一方に向けて開口して長手方向に沿って連続して形成された凹部と、前記凹部内を長手方向に移動可能となされ、前記結合部材に着脱可能に接続される摺動部材とを備え、前記摺動部材は、前記凹部内に摺動可能に係止され、前記結合部材と摺動部材とは、前記凹部の開口を内外方向に通過可能で摺動部材に螺着される雄ねじ部と、前記雄ねじ部より大径の頭部を有する接続部材によって接続され、前記結合部材は、前記雄ねじ部及び頭部が通過可能な幅広部と、雄ねじ部のみが通過可能となされた幅狭部とを有する貫通孔を備えており、前記接続部材は、前記頭部と前記縦枠との間に前記結合部材を挟持した挟持状態と、前記挟持状態を解除した解除状態とを選択可能に前記摺動部材に螺着可能となされたことを特徴とするものである。
【０００８】
本発明において、前記摺動部材は、前記凹部内に摺動可能に係止され、前記結合部材と前記摺動部材とは、前記凹部の開口を内外方向に通過可能で該摺動部材に螺着される雄ねじ部と、前記雄ねじ部より大径の頭部を有する接続部材によって接続され、前記結合部材は、前記雄ねじ部及び頭部が通過可能な幅広部と、雄ねじ部のみが通過可能となされた幅狭部とを有する貫通孔を備えており、前記接続部材は、前記頭部と前記縦枠との間に前記結合部材を挟持した挟持状態と、前記挟持状態を解除した解除状態とを選択可能に前記摺動部材に螺着可能となされるように構成してもよい。
【０００９】
更に、本発明に係るフェンスは、パネル材と、上下の横枠と左右の縦枠を結合して構成され、その内側に前記パネル材を保持する枠体と、前記パネル材の左右の端部に設けられて、縦枠と結合する結合部材とを備えるフェンスであって、前記縦枠は、前記パネル材の前後方向の少なくとも一方に向けて開口して長手方向に沿って連続して形成された凹部と、前記凹部内を長手方向に移動可能となされ、前記結合部材に着脱可能に接続される摺動部材とを備え、前記摺動部材は、前記凹部内に摺動可能に係止され、前記結合部材と摺動部材とは、前記凹部の開口を内外方向に通過可能で摺動部材に螺着される雄ねじ部と、前記雄ねじ部より大径の頭部を有する接続部材によって接続され、前記結合部材は、前記雄ねじ部及び頭部が通過可能な幅広部と、雄ねじ部のみが通過可能となされた幅狭部とを有する貫通孔を備えており、前記接続部材は、前記頭部と前記縦枠との間に前記結合部材を挟持した挟持状態と、前記挟持状態を解除した解除状態とを選択可能に前記摺動部材に螺着可能となされたことを特徴とするものである。
【００１０】
また、本発明において、少なくとも一方の前記横枠は、該横枠の両端部に設けられて、前記縦枠と結合する枠用結合部材を備え、前記縦枠は、前記凹部が形成された反対側に別の凹部が形成され、前記別の凹部内を長手方向に移動可能となされた摺動部材を備えており、前記枠用結合部材と前記摺動部材とがボルトを介して締結されることにより前記横枠が前記縦枠に固定され、前記締結状態を緩めることによって、前記横枠が上下方向に移動可能となされたものでもよい。
【発明の効果】
【００１１】
本発明によれば、通常はパネル材によりフェンスを介した移動が規制されているが、所定の操作によってパネル材で仕切られた一方から他方に移動することができる。
【図面の簡単な説明】
【００１２】
【図１】本発明に係るフェンスの実施の一形態を示す正面図である。
【図２】図１の側面図である。
【図３】図１の下部の部分拡大図である。
【図４】図１の側部の部分拡大図である。
【図５】図３のＡ−Ａ線の要部拡大断面図である。
【図６】図４のＢ−Ｂ線の要部拡大断面図である。
【図７】横枠の説明図である。
【図８】図５の部分分解説明図である。
【図９】縦枠の説明図である。
【図１０】縦枠における結合部材の説明図である。
【図１１】縦枠における結合部材の説明図である。
【図１２】図５において接続部材を外した状態を示す説明図である。
【図１３】本発明に係るフェンスの使用形態を示す説明図である。
【図１４】本発明に係るフェンスの他の使用形態を示す説明図である。
【図１５】本発明に係るフェンスの実施の他の形態を示す正面図である。
【図１６】図１５の縦枠付近の部分拡大図である。
【図１７】図１５の別の縦枠付近の部分拡大図である。
【図１８】図１６の更に別の縦枠付近の部分拡大図である。
【図１９】本発明に係るフェンスの実施の更に他の形態を示す正面図である。
【図２０】図１９の背面図である。
【図２１】図２０の横枠付近の部分拡大図である。
【図２２】図２１のＥ−Ｅ線の要部断面図である。
【発明を実施するための形態】
【００１３】
以下、本発明の実施形態について、図面を用いて詳細に説明する。
【００１４】
図１〜図３は、本実施形態に係るフェンス１００の構成を示す説明図であって、図１は正面図、図２は側面図、図３は図１の下部の部分拡大図、図４は図１の側部の部分拡大図である。
【００１５】
フェンス１００は、図１に示すように、略矩形状に形成されたパネル材１０と、パネル材１０を内側に保持する枠体２０とから構成されている。なお、本形態においては、フェンス１００において、正面側である前側が通路側、背面側である後側が設備側として説明する。
【００１６】
パネル材１０は、合成樹脂からなる網体であり、格子状に形成されたものである。網体は、例えば、ポリエチレン等の柔軟性を有する合成樹脂から構成されている。なお、図１においては、格子状の形態を省略して示している。
【００１７】
枠体２０は、図１に示すように、上下に並べて配置された一組の横枠３０と、左右に並べて配置された一組の縦枠４０を結合して構成されている。
【００１８】
図５は図３のＡ−Ａ線の要部拡大断面図、図６は図４のＢ−Ｂ線の要部拡大断面図である。横枠３０は、図５に示すように、四角柱状の長尺中空部材であり、その一側面には長手方向に沿って連続した凹部３１が形成されている。縦枠４０は、図６に示すように、四角柱状の長尺中空部材であり、その一側面には長手方向に沿って連続した凹部４１が形成されている。これら横枠３０及び縦枠４０は、例えばアルミニウム合金等の金属や合成樹脂の押出成形材等から構成されている。
【００１９】
一組の横枠３０と一組の縦枠４０とは、図１に示すように環状に連結されて、一組の横枠３０が上下の枠、一組の縦枠４０が左右の枠となって、正面視したとき矩形状となる一つの枠体２０を構成している。この枠体２０において、横枠３０の長手方向の両端部側面に縦枠４０の長手方向の一端面が接合しており、横枠３０及び縦枠４０はこの接合状態でネジ等により連結されている。また、一組の横枠３０と一組の縦枠４０とは、枠体２０の正面側に各凹部３１、４１が位置するように連結されている。
【００２０】
枠体２０は、床面に立設させる脚部２１を備えている。枠体２０は、脚部２１を２組備えている。
【００２１】
脚部２１は、本形態では、縦枠４０の下端部に固定されている。具体的には、脚部２１は、床面と接し、床面にアンカーボルト等を介して固定されるプレート２２と、プレート２２から立設し、縦枠４０の下端部を収納する収納部２３とを有する。縦枠４０は、筒状部２３内に挿入され、収納部２３及び縦枠４０に形成されたねじ孔（図示せず）にねじ（図示せず）が螺着されることによって固定されている。
【００２２】
枠体２０は、本形態のように、床面への立設を支持するための控え柱２４を有していてもよい。控え柱２４は、一端が縦枠４０の裏面中間部に固定されており、他端が脚部２１のプレート２２において、収納部２３と別の位置に立設された筒状の控え柱収納部２５に収納されている。
【００２３】
次に、パネル材１０と横枠３０との関係について、更に詳しく説明する。図１に示すように、パネル材１０は上下の横枠３０，３０と結合するための結合部材５０，５０を備えており、本形態では、パネル材１０の上部に二個、パネル材１０の下部に三個配置されている。パネル材１０と結合部材５０との関係は、本形態では、図３及び図５に示すように、結合部材５０、パネル材１０、裏板材５１の順で配置され、これら三部材を前後方向に貫通する締結材としてのリベット５２を介して結合されている。
【００２４】
図７は横枠３０の説明図であって、（ａ）は図５において主要部の正面図、（ｂ）は（ａ）のＣ−Ｃ線の断面図である。横枠３０は、長手方向に沿って前側に向けて開口する凹部３１を備え、この凹部３１内に配置された受け部材３２を備えている。受け部材３２は、前後に貫通する雌ねじ部３３を備えており、この雌ねじ部３３が凹部３１の開口３１ａを通じて露出可能となされ、かつ、凹部３１内をスライド可能となされている。また凹部３１は、開口３１ａの幅より奥部の方が広幅の蟻溝状に形成されており、受け部材３２は凹部３１からは抜け出し不能となされている。
【００２５】
結合部材５０は、図５に示すように、前後に貫通する貫通孔５３を有しており、この貫通孔５３に挿通されて、受け部材３２の雌ねじ部３３に接続部材としてのボルト５４を螺着することによって受け部材３２に結合される。図８は図５の部分分解説明図であって、具体的には、（ａ）に示すように、まず、受け部材３２の雌ねじ部３３にボルト５４を螺入し、続いて、（ｂ）に示すようにボルト５４の螺入作業を進めると、受け部材３２が相対的に凹部３１の開口３１ａに近づき、更に作業を進めると、（ｃ）に示すように、受け部材３２の一部が開口３１ａの内壁部に当接し、ボルト５４の頭部が結合部材５０に当接した状態となると、ボルト５４を介して、結合部材５０が横枠に締結された状態となり、これにより、パネル材１０の上部及び下部が横枠３０に固定される。
【００２６】
なお、本形態では、パネル材１０の上部に二個の結合部材５０を配置したものであるが、結合部材５０を横方向に連続する長尺体を一個用いたものとしてもよい。
【００２７】
次に、パネル材１０と縦枠４０との関係について、更に詳しく説明する。パネル材１０は左右の縦枠４０，４０と結合するための結合部材６０を備えており、本形態では、図１に示すように、パネル材１０の左右両側にそれぞれ四個配置されている。パネル材１０と結合部材６０との関係は、本形態では、図４及び図６に示すように、結合部材６０、パネル材１０、裏板材６１の順で配置され、これら三部材を前後方向に貫通する締結材としてのリベット６２を介して結合されている。なお、結合部材６０の配置数は適宜設定することができるが、隣り合う結合部材６０同士の間隔は、パネル材１０と縦枠４０との間に作業者の指が容易に入らないようにすることが好ましく、例えば、作業者がパネル材１０を面方向に対して押した際、パネル材１０が撓んだ箇所と縦枠４０との間に生じる隙間に作業者の指が容易に入らない程度とすることが好ましい。
【００２８】
図９は縦枠４０の説明図であって、（ａ）は正面図、（ｂ）は（ａ）のＤ−Ｄ線の断面図である。縦枠４０は、長手方向に沿って前側に向けて開口する凹部４１を備え、この凹部４１内に摺動部材７０を備えている。摺動部材７０は、前後に貫通する雌ねじ部７１を備えており、この雌ねじ部７１が凹部４１の開口４１ａを通じて露出するようになされている。また凹部４１は、開口４１ａの幅より奥部の方が広幅の蟻溝状に形成されており、摺動部材７０は凹部４１からは抜け出し不能となされている。
【００２９】
結合部材６０は、図６に示すように、前後に貫通する貫通孔６３を有しており、この貫通孔６３に挿通されて、摺動部材７０の雌ねじ部７１に接続部材としてのボルト６４を螺入することによって摺動部材７０に結合される。
【００３０】
摺動部材７０は、図９に示すように、ばね材７２を備えている。本形態に係るばね材７２は、板ばね状であって、一端が摺動部材７０に固定され、他端は凹部４１の底部４１ｂに向けて付勢可能となされている。これによって、摺動部材７０は、その一部が凹部４１の開口４１ａ側に圧設され、ばね材７２が底部４１ｂに圧設されることにより、凹部４１を任意の位置に係止させることができる。
【００３１】
また、摺動部材７０は凹部４１の長手方向に対して摺動可能となされている。すなわち、摺動部材７０は、ボルト６４によって結合部材６０と結合されている。この状態において、結合部材６０を縦枠４０の凹部４１の長手方向に沿って上下方向に移動させようとするとき、所定の力を加えることによって摺動部材７０が連動して移動する。そして、この所定の力を解除すると、摺動部材７０が凹部４１内のその位置で係止する。
【００３２】
図１０及び図１１は結合部材６０の説明図であって、図１０は結合部材６０の貫通孔６３とボルト６４との関係を示しており、図１１は縦枠４０と結合部材６０との関係を示している。図１０に示すように、結合部材６０の貫通孔６３は、上下方向に縦長の長孔であって、ボルト６４の雄ねじ部６５が通過可能で、ボルト６４の頭部６６が通過できない幅狭部６３ａと、雄ねじ部６５及び頭部６６のいずれもが通過可能な幅広部６３ｂとを備えている。
【００３３】
ボルト６４は、雌ねじ部７１への螺入の程度によって、図１１の（ａ）に示す、ボルト６４の頭部６６と縦枠４０との間に結合部材６０が挟持されて結合部材６０が容易に移動できない挟持状態と、図１１の（ｂ）に示す、ボルト６４は螺入しているが、前記のボルト６４の螺入が浅く、結合部材６０が頭部６６と縦枠４０との間で移動可能な解除状態とを選択することができる。
【００３４】
これにより、図１１の（ｂ）に示す解除状態においては、図１０の（ｂ）に示すように、ボルト６４の頭部６６を貫通孔６３の幅広部６３ｂの位置まで移動させ、続いて結合部材６０を相対的に前側に移動させることによって、ボルト６４から結合部材６０を外すことができる。
【００３５】
次に、本発明のフェンス１００の取付構造及び使用方法について説明する。なお、図示しないが、本発明には、設備を囲んだり、設備と通路とを仕切ったりするための柵の一部にフェンス１００を用いた形態、複数のフェンス１００を用いた形態、柵において、出入口等の用途以外の箇所にフェンス１００を用いた形態を含む。
【００３６】
パネル材１０の上下左右は、図１に示すように、結合部材５０、６０を介して枠体２０に固定されている。これにより、通路側の作業者は設備側には侵入できないようになされている。
【００３７】
例えば、通路側の所定の場所から設備側に移動して作業等の必要が生じた場合は、所定の操作を経て、パネル材１０を引き上げるか、パネル材１０を手前に捲ることにより、枠体２０内を通って移動することができる。
【００３８】
まず、パネル材１０を引き上げる使用方法について説明する。図１２は図５において接続部材であるボルト５４を外した状態を示す説明図であって、枠体２０の下の横枠３０において、受け部材３２からボルト５４をすべて外す。これにより、パネル材１０の下部の結合部材５０は下の横枠３０から外れた状態となる。
【００３９】
次に、図１１の（ｂ）に示すように、縦枠４０において、結合部材６０と摺動部材７０を結合するボルト６４を緩める。これにより、結合部材６０は、ボルト６４の頭部６６と縦枠４０との間で挟持された挟持状態から、移動可能な解除状態となる。
【００４０】
図１３は本発明に係るフェンスの使用形態を示す説明図であって、パネル材１０の一部、例えば、パネル材１０の下部やその付近の結合部材５０を持つ。持った場所を矢印の方向である上方へ持ち上げると、結合部材６０はボルト６４を介して結合した摺動部材７０が縦枠４０の凹部４１内を摺動して移動するので、パネル材１０を引き上げることができる。パネル材１０は、両端部が枠体２０内に位置しているので、縦枠４０と干渉することないので、引き上げ作業が容易となる。パネル材１０の下部を所定の高さまで持ち上げて作業を終了すると、摺動部材７０は、凹部４１内のその位置で係止された状態となり、持ち上がったパネル材１０の下方に通路が確保される。この際、パネル材１０の一番下方の結合部材６０において、ボルト６４を摺動部材７０の雌ねじ部７１に螺着して、ボルト６４の頭部６６と縦枠４０との間に結合部材６０を挟持することによって、引き上げられたパネル材１０がその位置から下方によりずれにくくなる。
【００４１】
作業者は、通路側から通路を通って設備側に移動して、作業等が終われば通路側に戻って、前記の作業とは逆の作業により、パネル材１０を閉じた状態とする。
【００４２】
続いて、パネル材１０を手前に捲る使用方法について説明する。前述と同様、図１２に示すように、最初に枠体２０の下の横枠３０において、受け部材３２からボルト５４をすべて外す。これにより、パネル材１０の下部の結合部材５０は下の横枠３０から外れた状態となる。次に、縦枠４０付近において、図１１の（ｂ）に示すように、ボルト６４を少し緩めて、ボルト６４の頭部６６と縦枠４０との間の隙間を広げて、結合部材６０が挟持されている状態を緩める。続いて、図１０の（ｂ）に示すように、ボルト６４の頭部６６を、結合部材６０の貫通孔６３を長手方向に沿って移動させて、幅広部６３ｂに位置するようにパネル材１０を上下方向に移動させる。続いて、結合部材６０を手前側に移動させて、貫通孔６３を挿通しているボルト６４を外す。更に、他の結合部材６０もボルト６４から外す。図１４は本発明に係るフェンスの他の使用形態を示す説明図であって、パネル材１０を前側に捲って設備側に移動する空間を確保することができる。
【００４３】
設備側に移動して作業等が終われば、パネル材１０を捲って通路側に移動する。その後、上して、前記の作業とは逆の作業により、パネル材１０を枠体２０に固定する。
【００４４】
状況に応じて、パネル材１０を引き上げる使用方法、パネル材１０を手前に捲る使用方法、の任意を選択することができる。
【００４５】
本形態では、ボルト５４，６４は、図３及び図４に示すように、それぞれの頭部５５，６６が正面視円形状であってスパナ等により外せるものではなく、所定の工具が係合する係合部５６，６７が形成されている。本形態では、係合部５６，６７は断面六角形状の孔であって、同形状である。従って、係合部５６，６７に係合する工具によってボルト５４、６４を外すことができるので、通常時は、部外者は容易には外すことができず、フェンス１００を経ての設備側に移動を制限することができる。
【００４６】
図１５〜図１８は、本発明に係る他の実施形態を示す説明図であって、図１５は本発明に係る他の実施形態を示す正面図、図１６は図１５の縦枠４０付近の部分拡大図、図１７は図１５の別の縦枠４０付近の部分拡大図、図１８は図１５の更に別の縦枠４０付近の部分拡大図である。更に詳しく説明すると、図１６は図１５の中央付近であって、隣接するフェンス２００の隣り合う縦枠４０，４０に連結プレート４２が配置された付近の部分拡大図、図１７は図１５において右側のフェンス２００の右側の縦枠４０に連結プレート４２が配置された付近の部分拡大図、図１８は図１５において左側のフェンス２００の左側の縦枠４０に配置された連結プレート４２用のボルト６４付近の部分拡大図である。
【００４７】
本形態に係るフェンス２００は、図１〜図１４に示されたフェンス１００と比べて、主に結合部材５０，６０の配置や形態が異なり、それについて説明する。それ以外で既に説明した内容と同じ構成要素には同じ符号を付し、その説明は省略する。
【００４８】
まず、本形態に係るパネル材１０は、上下部のいずれにも、結合部材５０を備えておらず、該パネル材１０の上部には、結合部材５０の代わりに結束バンド６８を介して上部の横枠３０と結合しており、該パネル材１０の下部は、下部の横枠３０とは結合されていない。一方、パネル材１０の左右の結合部材６０は、それぞれ五個配置されている。
【００４９】
すなわち、図１に示された形態と比較すると、本形態では、結束バンド６８を切断しないとパネル材１０の上部と上の横枠３０との結合を解除することができない。従って、パネル材１０の上部を捲ることやパネル材１０の上部を下方へ引き下げる様な作業は困難ではあるが、パネル材１０を通過する際、パネル材１０の下方を捲るか、パネル材１０の下方を上方へ引き上げることで、フェンス２００の一方からパネル材１０で仕切られた他方へ移動することができる。なお、必要なる設備の状態や、必要となる作業の高さ位置に応じて、例えば、パネル材１０の下部と下の横枠３０とを結束バンド６８で結合し、パネル材１０の上部を捲ったり、引き下げたりできるようにしてもよい。
【００５０】
また、図１５に示すように、縦枠４０の上部及び下部は、隣接するフェンス２００の縦枠４０と連結するための連結プレート４２を有している。連結プレート４２は、細長い板状であって、ボルト６４が貫通する貫通孔４３を有している。このボルト６４を縦枠４０の凹部４１内に配置された摺動部材７０に螺着することによって、連結プレート４２が縦枠４０に固定される。
【００５１】
また、連結プレート４２は、図１６に示すように、ボルト６４を軸として、長手方向が横方向となるように配置した際、隣接するフェンス２００の縦枠４０の凹部４１に対応する位置に貫通孔４４を有している。一方、図１８に示すように、貫通孔４４に対応する凹部４１付近にボルト６４を螺着した摺動部材７０を配置している。すなわち、図１７に示すように、フェンス２００の一方の縦枠４０には、ボルト６４及び摺動部材７０を介して固定された連結プレート４２を配置し、図１８に示すように、他方の縦枠４０にボルト６４を螺着した摺動部材７０を配置することによって、図１６に示すように、フェンス２００を横方向に連接する際、隣り合う縦枠４０同士を容易に連結することができる。なお、隣り合うフェンス２００がない場合は、図１７に示すように、連結プレート４２の長手方向を上下方向となるように配置して固定しておけば、他の部材と干渉することもなく、またボルト６４を緩めれば連結プレート４２を上下方向に移動させて結合部材６０との干渉をさせることができる。また、図１８に示すように、ボルト６４及び摺動部材７０のみを縦枠４０に配置していても、ボルト６４を緩めることで、上下方向に移動させて結合部材６０との干渉を避けることができる。
【００５２】
図１９〜図２２は、本発明に係る更に他の実施形態を示す説明図であって、図１９は本発明に係るフェンスの他の実施形態を示す正面図、図２０は図１９の背面図、図２１は図２０の横枠３０付近の部分拡大図、図２２は図２１のＥ−Ｅ線の要部断面図である。
【００５３】
本形態に係るフェンス３００は、図１〜図１８に示されたフェンス１００、或いはフェンス２００と比べて、横枠３０と縦枠４０との結合構造に特徴があるものであり、主にそれについて説明する。それ以外で、既に説明した内容と同じ構成要素には同じ符号を付し、その説明は省略する。
【００５４】
まず、本形態に係るフェンス３００は、図１９に示す正面図においては、図１５と同様な形態であるが、図２０に示す背面図において、横枠３０（本形態においては下側の横枠３０）と縦枠４０とが枠用結合部材８０、摺動部材７０及び接続部材を用いて結合されている。
【００５５】
枠用結合部材８０は、平板状であって、中央部に段部８１を有しており、段部８１を挟んで、両側に貫通孔８２，８３がそれぞれ形成されている。横枠３０は、凹部３１（３１ｂ）が形成された反対側である背面側にも別の凹部３１（３１ｃ）が形成されており、別の凹部３１ｃ内に摺動部材７０が配置されている。貫通孔８２を通じて、摺動部材７０の雌ねじ部（図示せず）に接続部材としてのボルト８４の雄ねじ部８５を螺着することによって、枠用結合部材８０が横枠３０に固定される。
【００５６】
縦枠４０も、凹部４１（４１ｃ）が形成された反対側である背面側にも別の凹部４１（４１ｄ）が形成されており、別の凹部４１ｄ内に摺動部材７０が配置されている。貫通孔８３を通じて摺動部材７０の雄ねじ部（図示せず）にボルト８６の雄ねじ部８７を螺着することによって、枠用結合部材８０が縦枠４０に固定される。
【００５７】
これにより、横枠３０の両端に配置された枠用結合部材８０を介して、横枠３０が縦枠４０に固定される。加えて、例えば、設備装置から通路側に向けて、配管工事や電気工事等が必要となってフェンス３００を横切って部材を配置する場合は、両側の枠用結合部材８０において、それぞれの縦枠４０側のボルト８６を緩めることによって、摺動部材７０が凹部４１ｄ内を上下方向に移動可能となるので、横枠３０を縦枠４０から完全に取り外さなくても、横枠３０を上方に移動させて、適宜位置でボルト８６を締め付けて再び横枠３０を縦枠４０に固定すれば、床面と横枠３０との間隔を調整して、配管等を通すことができる。また、通路側からは、枠用結合部材８０は視認されにくいので、通常時は、通行人が不用意にボルト８６を緩めて横枠３０の高さ位置を変更するようなことは起こりにくい。
【００５８】
以上のように本実施形態のフェンス１００は、パネル材１０と、上下の横枠３０，３０と左右の縦枠４０，４０とを結合して構成され、その内側にパネル材１０を保持する枠体２０と、パネル材１０の上下左右の端部に設けられて、横枠３０及び縦枠４０と結合する結合部材５０，６０とを備えるフェンスである。縦枠４０は、パネル材１０の前後方向の少なくとも一方に向けて開口して長手方向に沿って連続して形成された凹部４１と、凹部４１内を長手方向に移動可能となされ、パネル材１０の左右端部の結合部材６０に着脱可能に接続される摺動部材７０とを備えている。そして、パネル材１０は、上下の端部の結合部材５０が結合する上下の横枠３０の少なくとも一方の結合状態を解除することによって、上下方向に折り畳み可能となされている。
【００５９】
これにより、通常は、パネル材１０によりフェンス１００を介した移動が規制されているが、所定の操作によってパネル材１０で仕切られた一方から他方に移動することができる
【００６０】
縦枠４０の摺動部材７０は凹部４１内に摺動可能に係止され、縦枠４０の結合部材６０と摺動部材７０とは、それぞれ凹部４１の開口を内外方向に通過可能で摺動部材７０に螺着される雄ねじ部６５と、雄ねじ部６５より大径の頭部６６を有する接続部材としてのボルト６４によって接続されている。結合部材６０は、雄ねじ部６５及び頭部６６が通過可能な幅広部６３ｂと、雄ねじ部７１のみが通過可能となされた幅狭部６３ａとを有する貫通孔６３を備えている。そして、接続部材としてのボルト６４は、頭部６６と縦枠４０との間に結合部材６０を挟持した挟持状態と、この挟持状態を解除した解除状態とを選択可能に摺動部材７０に螺着可能となされたものとしてもよい。
【００６１】
これにより、接続部材としてのボルト６４の螺着状態を選択することによって、結合部材６０をボルト６４から外すことができるので、パネル材１０を上下方向に折り畳むのみならず、作業者はパネル材１０を前後方向に捲って、その隙間を通って通路側から設備側に移動することができる。
【００６２】
また、本形態のフェンス２００は、パネル材１０と、上下の横枠３０と左右の縦枠４０を結合して構成され、その内側にパネル材１０を保持する枠体２０と、パネル材１０の左右の端部に設けられて、縦枠４０と結合する結合部材６０とを備えるフェンス２００であって、縦枠４０は、パネル材１０の前後方向の少なくとも一方に向けて開口して長手方向に沿って連続して形成された凹部４１と、凹部４１内を長手方向に移動可能となされ、結合部材６０に着脱可能に接続される摺動部材７０とを備え、摺動部材７０は、凹部４１内に摺動可能に係止され、縦枠４０の結合部材６０と摺動部材７０とは、凹部４１の開口４１ａを内外方向に通過可能で摺動部材７０に螺着される雄ねじ部７１と、雄ねじ部７１より大径の頭部６６を有する接続部材としてのボルト６４によって接続され、結合部材６０は、雄ねじ部７１及び頭部６６が通過可能な幅広部６３ｂと、雄ねじ部７１のみが通過可能となされた幅狭部６３ａとを有する貫通孔６３を備えており、ボルト６４は、頭部６６と縦枠４０との間に結合部材６０を挟持した挟持状態と、前記挟持状態を解除した解除状態とを選択可能に摺動部材７０に螺着可能となされることによって、ボルト６４の螺着状態を選択により結合部材６０をボルト６４から外すことができるので、パネル材１０を上下方向に折り畳むのみならず、作業者はパネル材１０を前後方向に捲って、その隙間を通って通路側から設備側に移動することができる。
【００６３】
また、本形態に係るフェンスにおいて、少なくとも一方の横枠３０の両端部に設けられて、縦枠４０と接続する枠用結合部材８０を備え、縦枠４０は、凹部４１ｃが形成された反対側に別の凹部４１ｄが形成され、
前記別の凹部４１ｄ内を長手方向に移動可能となされ、枠用結合部材８０に着脱可能に接続される摺動部材７０を備えており、枠用結合部材８０と摺動部材７０とがボルト８６を介して締結されることにより横枠３０が縦枠４０に固定され、前記締結状態を緩めることによって、横枠３０が上下方向に移動可能となされたものでもよい
【００６４】
これにより、作業者が、枠用結合部材８０と摺動部材７０との締結状態を緩めることによって、横枠３０の高さ位置を変更することができるので、下方の横枠３０であれば、床面と横枠３０との間隔を調整して、配管等の部材を通すことができる。
【産業上の利用可能性】
【００６５】
本発明は、工場内の設備周り等に設置される柵等において広く利用することができる。
【符号の説明】
【００６６】
１０  パネル材
２０  枠体
２１  脚部
２２  プレート
２３  収納部
２４  控え柱
２５  控え柱収納部
３０  横枠
３１、３１ｂ、３１ｃ  凹部
３１ａ  開口
３２  受け部材
３３  雌ねじ部
４０  縦枠
４１、４１ｃ、４１ｄ  凹部
４１ａ  開口
４１ｂ  底部
４２  連結プレート
４３、４４  貫通孔
５０  結合部材
５１  裏板材
５２  リベット
５３  貫通孔
５４  ボルト
５５  頭部
５６  係合部
６０  結合部材
６１  裏板材
６２  リベット
６３  貫通孔
６３ａ  幅狭部
６３ｂ  幅広部
６４  ボルト
６５  雄ねじ部
６６  頭部
６７  係合部
６８  結束バンド
７０  摺動部材
７１  雌ねじ部
７２  ばね材
８０  枠用結合部材
８１  段部
８２、８３  貫通孔
８４、８６  ボルト
８５、８７  雄ねじ部
１００、２００、３００  フェンス
【図１】
2020153214.tif 000003
【図２】
2020153214.tif 000004
【図３】
2020153214.tif 000005
【図４】
2020153214.tif 000006
【図５】
2020153214.tif 000007
【図６】
2020153214.tif 000008
【図７】
2020153214.tif 000009
【図８】
2020153214.tif 000010
【図９】
2020153214.tif 000011
【図１０】
2020153214.tif 000012
【図１１】
2020153214.tif 000013
【図１２】
2020153214.tif 000014
【図１３】
2020153214.tif 000015
【図１４】
2020153214.tif 000016
【図１５】
2020153214.tif 000017
【図１６】
2020153214.tif 000018
【図１７】
2020153214.tif 000019
【図１８】
2020153214.tif 000020
【図１９】
2020153214.tif 000021
【図２０】
2020153214.tif 000022
【図２１】
2020153214.tif 000023
【図２２】
2020153214.tif 000024